(57)【特許請求の範囲】
【請求項１】
磁気角運動ＥＡＳマーカーを非活化するための装置であって、
前記マーカーが曝される磁界を生成するためのコイルであって、
第１の端子と第２の端子とを持つコイルと、
蓄電コンデンサーと、
前記蓄電コンデンサーと前記コイルの前記第１の端子との間に接続される第１のスイッチと、
前記コイルの前記第２の端子と接地との間に接続される第２のスイッチと、
前記蓄電コンデンサーと前記コイルの前記第２の端子との間に接続される第３のスイッチと、
前記コイルの前記第１の端子と接地との間に接続される第４のスイッチと、
前記第１、第２、第３及び第４のスイッチを制御するための制御手段であって、該制御手段は、
タイムインターバルの第１のシーケンスの間、前記第１及び第２のスイッチを開き、前記第３及び第４のスイッチを閉じ、
前記第１のタイムインターバルでインターリーブされるタイムインターバルの第２のシーケンスの間、第３及び第４のスイッチを開き、前記第１及び第２のスイッチを閉じ、
タイムインターバルの第３のシーケンスの間、前記第１、第２、第３及び第４のスイッチを開き、
タイムインターバルの前記第３のシーケンスのそれぞれ一つは、前記
第１及び第２のシーケンスの各一連のインターバル対の間に介在し、
交番する極性と間歇的な波形を持った減衰する直流パルス電流の列を当該コイルに発生させるようにした
前記制御手段と、 を備えることを特徴とする装置。
【請求項２】
前記第１のシーケンスのインターバルのそれぞれの所要時間は、前記第１のシーケンスの経過に渡って単調に減少し、前記第２のシーケンスのインターバルのそれぞれの所要時間は、前記第２のシーケンスの経過に渡って単調に減少することを特徴とする請求項１記載の装置。
【請求項３】
前記制御手段は、ランプ信号を生成するための手段と、該ランプ信号で前記コイルの電流レベルのそれぞれの信号レベルを比較するための比較手段と、該比較手段に応答して、前記第１及び第２のシーケンスの前記インターバルを選択的に終了させるための手段とを含むことを特徴とする請求項２記載の装置。
【請求項４】
前記コイルに直列に接続される少なくとも一つの追加のコイルをさらに備えることを特徴とする請求項１記載の装置。
【請求項５】
前記コイルに並列に接続される少なくとも一つの追加のコイルをさらに備えることを特徴とする請求項１記載の装置。
【請求項６】
前記第３のシーケンスの前記インターバルは、前記第１のシーケンスの前記インターバルよりも所要時間が実質的に長く、前記第２のシーケンスの前記インターバルよりも所要時間が実質的に長いことを特徴とする請求項６記載の装置。
【請求項７】
前記第１、第２、第３及び第４のスイッチのそれぞれは、トランジスタスイッチによって構成されることを特徴とする請求項１記載の装置。
【請求項８】
前記第１、第２、第３及び第４のスイッチのそれぞれは、ＩＧＢＴを含むことを特徴とする請求項７記載の装置。
【請求項９】
請求項1に記載の装置を使用して磁気角運動ＥＡＳマーカーを非活化する方法であって、
コイルを供給するステップと、
第１の直流パルスのシーケンスを前記コイルに適用するステップであって、該第１のパルスがすべて第１の極性であるステップと、
第２の直流パルスのシーケンスを前記コイルに適用するステップであって、該第２のパルスは、前記第１のパルスの間に散在し、前記第１の極性と反対の第２の極性であるステップと、
前記コイル内の前記パルスによって形成された磁界に前記ＥＡＳマーカーを曝すステップと、 を有し、
前記第１の直流パルスと第二の直流パルスが、交番する極性と間歇的な波形を持った減衰する直流パルス電流の列を構成するようにした
ことを特徴とする方法。
【請求項１０】
前記第１のパルスは、タイムインターバルを渡って振幅が単調に減少し、前記第２のパルスは、該タイムインターバルを渡って振幅が単調に減少することを特徴とする請求項９記載の方法。
【請求項１１】
前記タイムインターバルは、持続時間で実質的に１５０ミリ秒であることを特徴とする請求項１０記載の方法。
【請求項１２】
前記第１のパルスは、実質的に５００Ｈｚの周波数で適用され、前記第２のパルスは、実質的に５００Ｈｚの前記周波数で適用されることを特徴とする請求項１１記載の方法。
【請求項１３】
磁気角運動ＥＡＳマーカーを非活化するための装置であって、
第１の端子と第２の端子を持つ第１のコイルと、
前記第２の端子に接続される第３の端子と、第４の端子とを持つ第２のコイルであって、前記マーカーを非活化するためのそれぞれの磁界を生成する、前記第２のコイルと、
蓄電コンデンサーと、
該蓄電コンデンサーと前記第１の端子との間に接続される第１のスイッチと、
接地と前記第２及び第３の端子の接合点との間に接続される第２のスイッチと、
前記蓄電コンデンサーと前記第２及び第３の端子の前記接合点との間に接続される第３のスイッチと、
接地と第１の端子との間に接続される第４のスイッチと、
前記蓄電コンデンサーと前記第４の端子との間に接続される第５のスイッチと、
接地と前記第４の端子との間に接続される第６のスイッチと、
前記第１、第２、第３、第４、第５及び第６のスイッチを制御するための制御手段であって、第１の操作モードと第２の操作モードの間を切り換える前記制御手段とを備え、
前記第１の操作モードでは、前記制御手段は、タイムインターバルの第１のシーケンスの間、前記第１、第２、第５及び第６のスイッチを開き、前記第３及び第４のスイッチを閉じ、
タイムインターバルの前記第１のシーケンスでインターリーブされるタイムインターバルの第２のシーケンスの間、前記第３、第４、第５及び第６のスイッチを開き、前記第１及び第２のスイッチを閉じ、
タイムインターバルの第３のシーケンスの間、第１、第２、第３、第４、第５及び第６のスイッチのすべてを開き、
タイムインターバルの前記第３のシーケンスのそれぞれ一つは、前記
第１及び第２のシーケンスのインターバルの一連の対のそれぞれの間に介在し、
交番する極性と間歇的な波形を持った減衰する直流パルス電流の列を当該第1のコイルに発生させるようにし、
前記第２の操作モードでは、前記制御手段は、タイムインターバルの第４のシーケンスの間、前記第１、第３、第４及び第６のスイッチを開き、前記第２及び第５のスイッチを閉じ、
タイムインターバルの前記第４のシーケンスでインターリーブされるタイムインターバルの第５のシーケンスの間、前記第１、第２、第４及び第５のスイッチを開き、前記第３及び第６のスイッチを閉じ、
タイムインターバルの第６のシーケンスの間、前記第１、第２、第３、第４、第５及び第６のスイッチのすべてを開き、
タイムインターバルの前記第６のシーケンスのそれぞれ一つは、前記第
４及び第５のシーケンスの各一連のインターバル対の間に介在し、
交番する極性と間歇的な波形を持った減衰する直流パルス電流の列を当該第2のコイルに発生させるようにした
ことを特徴とする装置。
【請求項１４】
前記第１、第２、第３、第４、第５及び第６のスイッチのそれぞれは、トランジスタスイッチによって構成されることを特徴とする請求項１３記載の装置。
【請求項１５】
前記第１、第２、第３、第４、第５及び第６のスイッチのそれぞれは、ＩＧＢＴを含むことを特徴とする請求項１４記載の装置
【請求項１６】
磁気角運動ＥＡＳマーカーを非活化するための装置内の、第１の端子と第２の端子を持つコイルに選択的に電圧を加える回路であって、
蓄電コンデンサーと、
該蓄電コンデンサーを前記コイルの第１の端子に選択的に接続するための第１のスイッチと、
前記蓄電コンデンサーを前記コイルの第２の端子に選択的に接続するための第２のスイッチと、
第１の電流感知回路と、
前記コイルの前記第１の端子を該第１の電流感知回路に選択的に接続するための第３のスイッチと、
第２の電流感知回路と、
前記コイルの前記第２の端子を該第２の電流感知回路に選択的に接続するための第４のスイッチと、
第１の比較器と、
前記第１の電流感知回路の出力を前記第１の比較器の第１の入力に適用するための手段と、
第２の比較器と、
前記第２の電流感知回路の出力を前記第２の比較器の第１の入力に適用するための手段と、
下りランプ信号を生成するための手段と、
該下りランプ信号を前記第１の比較器の第２の入力と前記第２の比較器の第２の入力とに並列に適用するための手段と、
第１のＤタイプフリップフロップと、
前記第１の比較器の出力を該第１のＤタイプフリップフロップのクリア入力に適用するための手段と、
第１のクロック信号を前記第１のＤタイプフリップフロップのクロック入力に適用するための手段と、
前記第１のＤタイプフリップフロップの出力をそれぞれの制御信号として前記第２及び第３のスイッチに並列に適用するための手段と、
第２のＤタイプフリップフロップと、
前記第２の比較器の出力を前記第２のＤタイプフリップフロップのクリア入力に適用するための手段と、
第２のクロック信号を前記第２のＤタイプフリップフロップのクロック入力に適用するための手段と、
前記第２のＤタイプフリップフロップの出力をそれぞれの制御信号として前記第１及び第４のスイッチに並列に適用するための手段と、
を備え、
交番する極性と間歇的な波形を持った減衰する直流パルス電流の列を当該コイルに発生させるようにした
ことを特徴とする回路。
【請求項１７】
前記第１及び第２のクロック信号は、実質的に同一の周波数であり、実質的に１８０°互いから位相オフセットであることを特徴とする請求項１６記載の回路。
【請求項１８】
前記クロック信号の前記周波数は、実質的に５００Ｈｚであることを特徴とする請求項１７記載の回路。
【請求項１９】
前記フリップフロップのそれぞれの反転出力は、それぞれのフリップフロップのＤ入力に接続されることを特徴とする請求項１６記載の回路。
【請求項２０】
前記スイッチのそれぞれは、絶縁ゲートバイポーラトランジスタを含むことを特徴とする請求項１６記載の回路。
【発明の詳細な説明】
【０００１】
発明の技術分野
この発明は、一般に、電子商品監視（ＥＡＳ）に関し、より詳しくは、ＥＡＳマーカーを非活化するためのいわゆる「ディアクティベイター（deactivators）」に関する。
【０００２】
発明の背景技術
商品の物品にＥＡＳマーカーを適用することは、電子商品監視産業では慣習的であった。検出装置は、商店店内からアクティブなマーカーを搬出する試みを検知し、そのような場合に警報を発生するために、商店出口に置かれる。顧客がレジで商品の代金を払うとき、レジ店員は、商品からマーカーを取り除くか、あるいはマーカーを非活化するために提供される非活化装置を用いることによって、マーカーを非活化するかのいずれかをする。
【０００３】
周知の非活化装置は、マーカーを非活化するのに十分な大きさの磁界を生成するために電圧をかけることができる１以上のコイルを含む。（米国特許第４，５１０，４８９号に開示される。）マーカーの一つのよく知られるタイプは、「磁気角運動」マーカーとして知られる。磁気角運動マーカーは、賦活化素子とバイアス素子を含む。バイアス素子がある方法で磁化されるとき、結果として生じるバイアス磁界は賦活化素子に供給され、賦活化素子は予め決められた周波数で交番する呼びかけ信号に曝されて決められた周波数で機械的に共鳴を起こさせる。このタイプのマーカーに用いられる検出装置は、呼びかけ信号を生成し、その呼びかけ信号によって引き起こされたマーカーの共鳴を検出する。磁気角運動マーカーを非活化するための一つの周知技術によれば、バイアス素子は、バイアス素子の保磁力よりも大きい初期値を持つ交番磁界にそのバイアス素子を曝すことによって磁場を中和され、それから零に減衰する。バイアス素子が磁場を中和された後、マーカーの共鳴周波数は、予め決められた呼びかけ信号周波数から十分にシフトされ、呼びかけ信号に対するマーカーの応答は、検出装置による検出にとってはあまりにも低いものである。
【０００４】
一つの従来の非活化装置では、駆動回路は、時折減衰交流波形を持つ駆動信号を一つのコイル又は複数のコイルに適用する。駆動回路は、レジ店員によって作動されるボタン又はスイッチに応答して、あるいは賦活化マーカーの存在を検出する回路によって駆動信号を生成するために誘発される。
【０００５】
ごく最近は、本出願とともに譲渡される同時係属出願において、トリガー機構を削除し、１９９７年２月３日に出願された出願番号第０８／７９４，０１２号に開示されるように、一定振幅（あるいは、そのような信号の周期的に中断されたバージョン）を持つ連続波交流シヌソイドで、あるいは、１９９８年７月６日に出願された出願番号第０９／１１０，５０８号に開示されるように、交流シヌソイドの不連続単サイクル、同じく一定ピーク振幅で、非活化装置コイル又は複数のコイルを駆動することが提案された。これらの両コイル励磁案の場合には、ＥＡＳマーカーに実際に適用される信号に要求される減衰は、磁界が放射される領域にマーカーが存在するとき、マーカーに適用される磁界が減衰されるように、非活化コイルを通り越してマーカーを掃去することによって達成される。
【０００６】
’０１２及び’５０８特許出願の開示は、参照によってここに組み込まれる。
【０００７】
非活化装置コイルを通り過ぎてマーカーを掃去することは非常に効率的に働き得るけれども、マーカーの掃去を要求しない非活化装置を提供することもしばしば望まれる。そのような非活化装置の一例は、米国特許第５，７８１，１１１号に開示されるいわゆる「バルク（bulk）」ディアクティベイター（deactivator）である。（’１１１特許は、本出願と共通の発明者及び共通の譲受人を持ち、そして、それの開示は参照によってここに組み込まれる。）
それに加えて、マーカー非活化装置のためのもう一つの望ましい目標は拡張化されたエネルギー効率である。
【０００８】
発明の目的及び概要
本発明の最初の目的は、ＥＡＳマーカー非活化装置のための効率的な電圧を加える回路を提供することである。
【０００９】
本発明のさらなる目的は、非活化装置を使うのを便利にする電圧を加える回路を提供することである。
【００１０】
本発明の一面によれば、磁気角運動ＥＡＳマーカーを非活化するための装置が提供される。その装置は、マーカーが曝されるべき磁界を生成するための第１の端子と第２の端子を持つコイルと、蓄電コンデンサーと、その蓄電コンデンサーと第２の端子の間に接続される第１のスイッチと、コイルの第２の端子と接地の間に接続される第２のスイッチと、蓄電コンデンサーとコイルの第２の端子の間に接続される第３のスイッチと、コイルの第１の端子と接地の間に接続される第４のスイッチと、並びに、第１、第２、第３及び第４のスイッチを制御し、タイムインターバルの第１のシーケンスの間、第１及び第２のスイッチを開放し、第３及び第４のスイッチを閉じ、タイムインターバルの第２のシーケンスの間、第３及び第４のスイッチを開放し、第１及び第２のスイッチを閉じ、タイムインターバルの第３のシーケンスの間、第１、第２、第３及び第４のすべてのスイッチを開放し、タイムインターバルの第３のシーケンスのそれぞれ一つが第１及び第２のシーケンスの各一連のインターバル対の間に介在するための制御回路とを含む。好ましくは、第１及び第２のシーケンスのインターバルのそれぞれの所要時間は、第１及び第２のシーケンスのそれぞれの経過を越えて両方とも単調に減少する。好ましくは、制御回路は、ランプ信号を生成するための回路と、コイルでの信号レベルとランプ信号とを比較するための比較回路と、比較回路に応答して第１及び第２のシーケンスのインターバルを選択的に終了させるための回路とを含む。少なくとも一つの追加のコイルが、前述のコイルと直列に又は並列に接続されてもよい。コイルが駆動される第１及び第２のシーケンスのインターバルの間の「デッドピリオド（dead periods）」に対応する、第３のシーケンスのタイムインターバルは、好ましくは、非常に短い第１及び第２のシーケンスのインターバルよりもずっと長い所要時間である。その結果として、非活化装置の効率的な衝撃係数は、消費電力が低くなるように、非常に低い。
【００１１】
本発明のもう一つの面によれば、磁気角運動ＥＡＳマーカーを非活化する方法が提供される。その方法は、コイルを供給するステップと、第１の直流パルスのシーケンスをコイルに適用するステップであって、第１のパルスがすべて第１の極性となる適用ステップと、第２の直流パルスのシーケンスをコイルに適用するステップであって、第２のパルスが時間的に第１のパルス間に散在され、第１の極性と反対の第２の極性となるステップと、コイル内でパルスによって形成された磁界にＥＡＳマーカーを曝すステップとを含む。好ましくは、第１のパルスと第２のパルスの両方は、共通のタイムインターバルを介して振幅を単調に減じる。
【００１２】
本発明の前述の、並びに、他の目的、特徴及び利点は、次の詳細な好ましい実施の形態の記述、並びに図面からさらに理解されるだろう。その中では、同一の参照数字が同一の構成要素とパーツを識別する。
【００１３】
好ましい実施の形態の詳細な記述
本発明の第１の実施の形態は、図１Ａ〜１Ｃで構成された回路図である図１を参照して記述される。
【００１４】
マーカー非活化装置内に挿入されるコイルは、図１Ａの参照数字１０によって示され、磁気角運動ＥＡＳマーカーが非活化のために曝されるべき磁界を生成する目的のために選択的に電圧を加えられる。ただ一つのコイルが参照数字１０で示されるけれども、２以上のコイルが使用され得、互いに直列あるいは並列に接続されてもよいことを理解されたい。
【００１５】
バルク貯蔵コンデンサー１２も、また、図１Ａの回路に示される。より大きい又はより小さいコンデンサー、あるいはコンデンサーのバンクが代わりに使用されてもよいけれども、本発明の好ましい実施の形態によれば、コンデンサー１２は、１，０００μＦ（マイクロファラッド）の定格を持つ。
【００１６】
第１のトランジスタスイッチＳＷ１は、コンデンサー１２とコイル１０の第１の端子の間に接続される。第２のトランジスタスイッチＳＷ２は、コイル１０の第２の端子と接地の間に接続される。
【００１７】
第３のトランジスタスイッチＳＷ３は、コンデンサー１２とコイル１０の第２の端子の間に接続され、第４のトランジスタスイッチＳＷ４は、コイル１０の第１の端子と接地の間に接続される。図では、トランジスタスイッチの４つすべてが絶縁ゲートバイポーラトランジスタ（IGBT's）によって構成されるように示される。しかしながら、MOSFETのような他のタイプのトランジスタが使用されてもよい。スイッチ素子の他の種類がトランジスタスイッチの代わりとして使用されてもよい。
【００１８】
第１の電流感知回路１４が、スイッチＳＷ２を経由してコイル１０に接続される。スイッチＳＷ２が閉状態である時々、電流感知回路１４は、コイル１０に存在する電流レベルを以下で記述される制御回路に提供されるべき電圧レベルに変換する。第２の電流感知回路１６も又、図１Ａに示され、スイッチＳＷ４を経由してコイル１０に接続される。電流感知回路１６は、スイッチＳＷ４が閉状態であるとき時々コイル１０の電流レベルを表す電圧レベルを制御回路に供給する。
【００１９】
理解されるように、制御回路は、コイルの近くに位置される磁気角運動マーカーのバイアス要素の磁場を実質的に中和する信号磁界を生成するために時間の経過に伴って振幅を下方へ傾けるパルスで、交番極性の直流パルスのシーケンスがコイル１０に適用されるように、トランジスタスイッチＳＷ１〜ＳＷ４のそれぞれの状態を制御する。
【００２０】
スイッチＳＷ１〜ＳＷ４に適用される制御信号を生成する制御回路は、図１Ｂ及び図１Ｃに示される。
【００２１】
初めに図１Ｂにおいて、電流感知回路１４からの電流感知信号出力は、第１の比較器１８の非反転入力に適用される。同じく、電流感知回路１６によって出力される電流感知信号は、第２の比較器２０の非反転入力に適用される。
【００２２】
図１Ｂの２２で示される回路は、上りランプ波形を持つ出力信号を生成する。上りランプ信号は、回路２４によってレベルシフトされ、反転され、下りランプ波形を持つ出力信号を形成する。下りランプ信号は、比較器１８及び２０のそれぞれの反転入力に並列に供給される。比較器１８及び２０の出力信号はそれぞれ、第１のＤタイプフリップフロップ２６（図１Ｃ）及び第２のＤタイプフリップフロップ２８の「クリア（clear）」入力に適用される。３２で示される第２のクロック信号は、フリップフロップ２６の「クロック（clock）」入力に適用される。本発明の好ましい実施の形態では、両クロック信号は、実質的に５００Ｈｚであり、位相が実質的に１８０°互いにずれている。
【００２３】
フリップフロップ２６、２８のそれぞれの場合には、それぞれの反転出力は、それぞれのフリップフロップの「Ｄ」入力に接続される。フリップフロップ２６の非反転出力は、制御信号としてスイッチＳＷ１及びＳＷ２に並列に供給される。フリップフロップ２８の非反転出力は、制御信号としてスイッチＳＷ３及びＳＷ４に並列に接続される。結果として、スイッチＳＷ１及びＳＷ２は、フリップフロップ２６の制御下で共に効率的に組に編成され、スイッチＳＷ３及びＳＷ４は、フリップフロップ２８の制御下で共に効率的に組に編成される。フリップフロップ２６の出力が「ハイ（high）」論理レベルであるとき、スイッチＳＷ１及びＳＷ２は、閉状態である。他のすべてのときには、スイッチＳＷ１及びＳＷ２は、開状態に保持される。フリップフロップ２８の出力が「ハイ（high）」論理レベルであるとき、スイッチＳＷ３及びＳＷ４は、閉状態である。他のすべてのときには、スイッチＳＷ３及びＳＷ４は、開状態に保持される。
【００２４】
図１の回路の操作を、図２Ａを参照して記述する。
【００２５】
図２Ａ及び２Ｂは、図２Ａに明示的に示される共通の横縮尺を共有する。図２Ａは、図１Ｂの回路２２によって生成される繰り返し上りランプ波形を示す。図２Ｂは、回路２４によって生成され、比較器１８及び２０の反転入力に並列に適用される繰返し下りランプ信号を示す。
【００２６】
図３Ａ〜図３Ｅはすべて、約５ミリ秒の時間に対応する共通の横縮尺を持つ（共有される横縮尺のためのグラデーションは、図３Ｂでのみ明示的に示される。）。
【００２７】
図３Ａは、フリップフロップ２６の出力を示す波形を示す。図３Ａの波形は、一連の短パルスである。フリップフロップ２６の出力がスイッチＳＷ１及びＳＷ２のための制御信号であるので、図３Ａの信号が「ハイ（high）」論理レベルである短時間は、スイッチＳＷ１及びＳＷ２が閉状態である時間に対応する。他のすべての時間では、スイッチＳＷ１及びＳＷ２は、開状態である。図３Ａの各パルスが始まるタイミングは、フリップフロップ２６に適用される５００Ｈｚクロック信号の上昇端に対応する。その結果として、図３Ａに示されるパルスは、実質的に２ミリ秒のインターバルで始まる。図３Ａの各パルスが終わるタイミングは、フリップフロップ２６の「クリア（clear）」端子に適用される比較器１８の出力信号の上昇端によって定められる。比較器１８の出力のタイミングは、順番に、比較器１８の反転入力に適用される下りランプ信号のそれぞれのレベルと比較器１８の非反転入力に適用される電流感知信号との間の関係に依存する。
【００２８】
フリップフロップ２６の出力がハイレベルである短インターバルの間、スイッチＳＷ１及びＳＷ２は閉じられ、直流パルスがスイッチＳＷ１からスイッチＳＷ２の方向にコンデンサー１２からコイル１０に適用されることを可能にする。これらの電流パルスは、正極性としてとられるスイッチＳＷ１からスイッチＳＷ２への電流の流れ方向でコイル１０内の電流の信号波形を示す図３Ｅの４０、４２及び４４で示される。電流感知回路１４からの対応する電流感知パルス出力は、図３Ｃの５０、５２及び５４で示される。これらの電流感知信号パルスが入力信号として比較器１８の非反転入力に供給されることが想起される。図３Ｃに示される信号トレースは、比較器１８の反転入力に適用される下りランプ信号に対応する。下りランプ信号トレース５６とのパルス５０、５２、５４の交差ポイントは、図３Ａの制御信号パルスが比較器１８からの比較出力信号によって終わらされるタイミングを示す。下りランプ信号のレベルが減少するので、フリップフロップ２６から出力される制御信号パルスの所要時間が減少し、コイル１０に実質的に適用される直流電流パルスのピーク振幅もそうなることが認識される。
【００２９】
図３Ｂは、スイッチＳＷ３及びＳＷ４を制御するために、フリップフロップ２８から出力された制御信号を示す。図３Ｂに示されるパルスの始まりのタイミングは、フリップフロップ２８に適用される５００Ｈｚクロックの上昇端によって決定される。従って、図３Ｂのパルスは、２ミリ秒のインターバルで開始し、図３Ｂに示されるパルス列は、図３Ａのパルス列から１８０°の位相オフセットである。図３Ａの各パルスと図３Ｂの次に続くパルスの間で、いずれのパルスの所要時間よりも実質的に長い所要時間である介在期間があることもまた注目される。
【００３０】
フリップフロップ２８からの制御信号が「ハイ（high）」論理レベルである短インターバルの間、スイッチＳＷ３からスイッチＳＷ４の方向に直流電流信号が蓄電コンデンサー１２からコイル１０内に誘導されるように、スイッチＳＷ３及びＳＷ４は閉じられる。６０及び６２で図３Ｅに示される負極性パルスは、これらの電流パルス信号を示す。電流感知回路１６から出力され、入力信号として比較器２０の非反転入力に供給される対応する電流感知電圧レベルは、図３Ｄの７０、７２で示される。図３Ｄにおいて、トレース５６は、前に述べたように、比較器２０の反転入力に入力される下りランプ信号を再び表す。従って、トレース５６とのパルス７０、７２の交差は、図３Ｂの制御信号パルスの終わりのタイミングを決定する。それは、順番に、コイル１０に適用される負の向き電流パルスの終了を制御する。
【００３１】
図４は、より圧縮された時間の尺度における図３Ｅの電流信号レベルトレースを示す。図４から分かるように、直流パルスの列は、コイル１０に適用され、そのパルスは、交番する極性と、比較器１８、２０の反転入力に適用される下りランプ信号のレベルによって支配される減少する振幅とを持つ。
【００３２】
コンデンサー１２を充電するための回路は図には示されないが、上記で参照された米国特許第５，７８１，１１１号に開示されるようなものであってもよい。’１１１特許の回路では、蓄電コンデンサーは、非活化コイルから間欠的に絶縁され、そのような期間中、電力線信号から充電される。本発明では、下りランプ信号に対応する期間の代わりのものは、図４に示されるパルス列を生成するために利用される他の期間で、充電のために用いられてもよい。
【００３３】
図４に示される下り振幅の交番極性直流パルスの列が、マーカーとコイル間の相対運動を必要としないで、コイル１０に差し出される磁気角運動ＥＡＳマーカーのバイアス用磁石の磁場を中和するために機能する磁界を供給することは認識される。図１に示される回路は、衝撃係数が非常に低いので、高いエネルギー効率が期待される。それに加えて、ここに示される回路は、それぞれ単純であり、それゆえ、製造に経済的であるべきである。
【００３４】
図５は、図１Ａに示される１つのコイル、４つのスイッチ配列の代案を示す。図５の配列では、２つのコイルと６つのスイッチが供給される。図５の配列で、できる限り直交方向（１９９８年１月３０日に出願され、本出願で一般に指定される同時係属特許出願第０９／０１６，１７５号の図８に示される一実施の形態におけるように）に割り当てられた２つのコイルは、交番モードで駆動されてもよい。
【００３５】
図５は、図１Ａに示されるものと、同一のコイル１０及びスイッチＳＷ１、ＳＷ２、ＳＷ３及びＳＷ４を示す。第２のコイル８０もまた図５に示される。それは、スイッチＳＷ３及びＳＷ２の接合点に接続される一つの端子を持つ。スイッチＳＷ５は、蓄電コンデンサー（図５には示さず）とコイル８０の他方の端子の間に接続される。一方、スイッチＳＷ６は、コイル８０の後者の端子と図示されない第３の電流感知回路の間に接続される。６つのスイッチすべては、ＩＧＢＴのようなトランジスタスイッチであってよい。
【００３６】
本発明のこの実施の形態の操作の第１のモードでは、スイッチＳＷ５及びＳＷ６は、コイル８０が効率的に回路から外れるように、開状態に保持される。スイッチＳＷ１〜ＳＷ４は、図２〜４に関連して上述されるように、同一の方法で操作される。
【００３７】
本発明のこの実施の形態を操作する第２のモードでは、スイッチＳＷ１及びＳＷ４は、回路からコイル１０を効率的に取り除くために開状態に保持され、スイッチＳＷ３、ＳＷ６、ＳＷ５及びＳＷ２は、第１のモードにおいてスイッチＳＷ１〜ＳＷ４の操作と類似の方法で操作される。
【００３８】
従って、第１の操作モードでは、図４のようなパルス列がコイル１０に適用され、第２の操作モードでは、類似のパルス列がコイル８０に適用される。装置が操作の第１と第２のモード間を短インターバルですばやく切り換えられるべきことが理解されるだろう。
【００３９】
上述の２つの操作モードを実行するために、図１Ｂ及び図１Ｃの制御回路を変更することは、当業者の能力の十分範囲内である。
【００４０】
前述の非活化装置の様々な変更及び記述された実施の改良は、本発明から逸脱することなく、導入され得る。それゆえ、本発明の特定の好ましい実施の形態は、一つの実例として意図され、限定する意味ではない。本発明の真の精神及び範囲は、添付の特許請求の範囲で明らかにされる。
【図面の簡単な説明】
【図１】  図１は、図１Ａ、図１Ｂ及び図１Ｃから形成され、それらは共に本発明の教示によって提供される非活化コイルに電圧を加える回路の概略図を構成する。
【図２】  図２Ａ及び図２Ｂは、図１の回路のそれぞれの部分に存在する信号を示す波形図である。
【図３】  図３Ａ〜図３Ｅは、図１の回路のそれぞれの部分に存在する信号を示す波形図である。
【図４】  図４は、図１の回路のそれぞれの部分に存在する信号を示す波形図である。
【図５】  図５は、本発明の代わりの実施の形態において変更されるとき、図１の回路の一部を示す概略的な回路図である。
【図１】
0004579416.tif 000002
0004579416.tif 000003
0004579416.tif 000004
0004579416.tif 000005
【図２】
0004579416.tif 000006
【図３】
0004579416.tif 000007
0004579416.tif 000008
【図４】
0004579416.tif 000009
【図５】
0004579416.tif 000010